(57)【要約】【課題】コンバインの方向指示器を広い範囲から視認できるようにする。【解決手段】合成樹脂製の膨出構成している表カバー１７と合成樹脂製の裏カバー１８とでカバー体を構成し、表カバー１７の膨出部である正面部１７ａ、左側面部１７ｂ及び右側面部１７ｃの裏面にレンズカットを施し、裏カバー１８の中央部にフラッシャランプ１９を、周辺部に反射鏡２３を夫れ夫れ取り付けて方向指示器１６を構成する。そして、コンバイン１の後側左端の角部に方向指示器１６を取り付けるにあたり、表カバー１７の正面部１７ａ、左側面部１７ｂ及び右側面部１７ｃを機体の後側面及び左側面から突出するように取り付ける。  しかして、コンバイン１の左側前方、左側方及び後側の三方向から方向指示器１６を視認することができる。【選択図】図７
2006172874.tif 000002
【特許請求の範囲】
【請求項１】
合成樹脂製の膨出構成している表カバー（１７）と合成樹脂製の裏カバー（１８）とでカバー体を構成し、前記表カバー（１７）の膨出部である正面部（１７ａ）、左側面部（１７ｂ）及び右側面部（１７ｃ）の裏面にレンズカットを施し、前記裏カバー（１８）の中央部にフラッシャランプ（１９）を、周辺部に反射鏡（２３）を取り付けて方向指示器（１６）を構成したことを特徴とするコンバイン等の方向指示器。
【請求項２】
コンバイン（１）の後側面の左端角部に請求項１記載の方向指示器（１６）を取り付けるにあたり、方向指示器（１６）の表カバー（１７）の膨出部である正面部（１７ａ）、左側面部（１７ｂ）及び右側面部（１７ｃ）を機体の後側面及び左側面から突出するように取り付けたことを特徴とするコンバイン等の方向指示器。
【請求項３】
コンバイン（１）の後側面の右端角部に請求項１記載の方向指示器（１６）を取り付けるにあたり、方向指示器（１６）の表カバー（１７）の膨出部である正面部（１７ａ）、左側面部（１７ｂ）及び右側面部（１７ｃ）を機体の後側面及び右側面から突出するように取り付けたことを特徴とするコンバイン等の方向指示器。
【請求項４】
機体（２）の後側右部にグレンタンク（８）を配置し、該グレンタンク（８）の右側部には機体の右側面よりも右側に突出した右側突出部（８ａ）を構成し、該右側突出部（８ａ）における後側面の右端角部に、請求項１記載の方向指示器（１６）を取り付けるにあたり、方向指示器（１６）の表カバー（１７）の膨出部である正面部（１７ａ）、左側面部（１７ｂ）及び右側面部（１７ｃ）を突出部（８ａ）の後側面及び右側面から突出するように取り付けたことを特徴とするコンバイン等の方向指示器。
【発明の詳細な説明】
【技術分野】
【０００１】
本発明は、コンバイン、トラクタ等の方向指示器に関するものである。
【背景技術】
【０００２】
コンバインの方向指示器において、穀粒タンクを合成樹脂で形成し、この穀粒タンクの外側面に前後方向に沿った溝を形成し、その溝の中途部に遮蔽板を介して機体の前後方向から目視可能にフラッシャランプを取り付けたものは公知である（特許文献１）。
【特許文献１】特開平９−５６２４４号公報
【発明の開示】
【発明が解決しようとする課題】
【０００３】
前記従来技術にあっては、フラッシャランプを穀粒タンクの右側に配置した場合には、フラッシャランプを右側方からは目視できるが、機体の後側中央部あるいは前側中央部からは目視できないという不具合があった。そこで、この発明はフラッシャランプを広範囲から目視できるようにし、このような不具合を解消しようとするものである。
【課題を解決するための手段】
【０００４】
請求項１の発明は、合成樹脂製の膨出構成している表カバー１７と合成樹脂製の裏カバー１８とでカバー体を構成し、前記表カバー１７の膨出部である正面部１７ａ、左側面部１７ｂ及び右側面部１７ｃの裏面にレンズカットを施し、前記裏カバー１８の中央部にフラッシャランプ１９を、周辺部に反射鏡２３を取り付けて方向指示器１６を構成したことを特徴とするコンバイン等の方向指示器とする。
【０００５】
前記構成によると、コンバイン１の機体周辺角部に、方向指示器１６の表カバー１７の膨出部である正面部１７ａ、左側面部１７ｂ及び右側面部１７ｃを機体側面よりも突出するように取り付けると、コンバイン１の周辺部広範囲から方向指示器１６の正面部１７ａ、左側面部１７ｂ及び右側面部１７ｃを視認することができる。
【０００６】
請求項２の発明は、コンバイン１の後側面の左端角部に請求項１記載の方向指示器１６を取り付けるにあたり、方向指示器１６の表カバー１７の膨出部である正面部１７ａ、左側面部１７ｂ及び右側面部１７ｃを機体の後側面及び左側面から突出するように取り付けたことを特徴とするコンバイン等の方向指示器とする。
【０００７】
前記構成によると、機体の方向変更時には方向指示器１６の機体後側面及び左側面から突出した表カバー１７の正面部１７ａ、左側面部１７ｂ及び右側面部１７ｃから光が点滅照射され、コンバイン１の左側前方、左側方及び後方の三方向から方向指示器１６を視認することができる。
【０００８】
請求項３の発明は、コンバイン１の後側面の右端角部に請求項１記載の方向指示器１６を取り付けるにあたり、方向指示器１６の表カバー１７の膨出部である正面部１７ａ、左側面部１７ｂ及び右側面部１７ｃを機体の後側面及び右側面から突出するように取り付けたことを特徴とするコンバイン等の方向指示器とする。
【０００９】
前記構成によると、方向変更時には方向指示器１６の機体後側面及び右側面から突出した表カバー１７の正面部１７ａ、左側面部１７ｂ及び右側面部１７ｃから光が点滅照射され、コンバイン１の右側前方、右側方及び後方の三方向から方向指示器１６を視認することができる。
【００１０】
請求項４の発明は、機体２の後側右部にグレンタンク８を配置し、該グレンタンク８の右側部には機体の右側面よりも右側に突出した右側突出部８ａを構成し、該右側突出部８ａにおける後側面の右端角部に、請求項１記載の方向指示器１６を取り付けるにあたり、方向指示器１６の表カバー１７の膨出部である正面部１７ａ、左側面部１７ｂ及び右側面部１７ｃを突出部８ａの後側面及び右側面から突出するように取り付けたことを特徴とするコンバイン等の方向指示器とする。
【００１１】
前記構成によると、方向変更時にはグレンタンク８の突出部８ａの右側面及び後側面から突出した方向指示器１６における表カバー１７の正面部１７ａ、左側面部１７ｂ及び右側面部１７ｃから光が点滅照射され、コンバイン１の右側前方、右側方及び後方の三方向から方向指示器１６を視認することができる。
【発明の効果】
【００１２】
請求項１の発明は、方向変更時には方向指示器１６の表カバー１７の膨出した正面部１７ａ、左側面部１７ｂ及び右側面部１７ｃをコンバイン周辺の広角度から視認することができ安全である。
【００１３】
請求項２の発明は、方向変更時には方向指示器１６の機体後側面及び左側面から突出した表カバー１７の正面部１７ａ、左側面部１７ｂ及び右側面部１７ｃをコンバイン１の左前方、左側方及び後方の三方向から視認することができ安全である。
【００１４】
請求項３の発明は、方向変更時には方向指示器１６の機体後側面及び右側面から突出した表カバー１７の正面部１７ａ、左側面部１７ｂ及び右側面部１７ｃをコンバイン１の右前方、右側方及び後方の三方向から視認することができ安全である。
【００１５】
請求項４の発明は、方向変更時には方向指示器１６におけるグレンタンク８右側突出部８ａの後側面及び右側面から突出した表カバー１７の正面部１７ａ、左側面部１７ｂ及び右側面部１７ｃを、コンバイン１の右前方、右側方及び後方の三方向から視認することができ安全である。
【発明を実施するための最良の形態】
【００１６】
以下、図面に示す本発明の実施例の形態について説明する。
まず、図１〜図５に基づき本発明を具備するコンバインについて説明する。図１は全体の左側面図、図２は同右側面図、図３は同平面図、図４は同正面図、図５は同背面図である。
【００１７】
コンバイン１は、機体２の右側前部に設けた運転席３と、機体２を支持する左右一対の走行クローラ４，４と、機体２の前方に上下回動自在に設けた刈取搬送部６と、機体２の左側後部に設けた脱穀部７と、機体２の右側後部に設けたグレンタンク８と、前記脱穀部７及びグレンタンク８の後方に配置した排稾処理装置９と、運転席３を覆うキャビン１１と、グレンタンク８の穀粒を排出する排出オーガー１２等により構成されている。
【００１８】
しかして、刈取搬送部６で刈り取られた穀稈は穀稈搬送装置（図示省略）により脱穀部７の扱室に搬送供給されて脱穀選別処理され、選別された穀粒は一番揚穀機（図示省略）によりグレンタンク８に揚穀収納され、溜まった穀粒は排出オーガー１２により機外に取り出される。また、脱穀済みの排藁は排藁移送チエン（図示省略）により後方の排稾処理装置９に送られ、例えば切断処理されて圃場に排出される。
【００１９】
次に、図６及び図７に基づき方向指示器１６について説明する。
方向指示器１６は次のように構成している。合成樹脂製の膨出した表カバー１７と合成樹脂製の裏カバー１８とによりカバー体を構成し、裏カバー１８の中央部に設けたソケット２０にフラッシャランプ１９を取り付け、供電用のコード２１によりフラッシャランプ１９に供電し、裏カバー１８のフラッシャランプ１９の周辺に反射鏡２３を取り付け、裏カバー１８には取付用のボルト２２，２２を取り付けている。
【００２０】
そして、表カバー１７は正面部１７ａ、左側面部１７ｂ、右側面部１７ｃ、上傾斜面部１７ｄ及び下傾斜面部１７ｅにより外側に膨出するように構成し、表カバー１７の裏面全面にレンズカットを施し、フラッシャランプ１９の光が表カバー１７全面に集まるように構成している。なお、ソケット２０の外側をゴムカバー２４で被覆し、裏カバー１８の下部中央には水抜き孔２６を設けている。
【００２１】
しかして、フラッシャランプ１９付きの方向指示器１６をコンバイン１のコーナ部に機体側面から突出するように取り付けると、左右の方向指示レバー（図示省略）の操作により、方向指示器１６の表カバー１７の膨出した正面部１７ａ、左側面部１７ｂ及び右側面部１７ｃから光が点滅照射され、コンバイン１の周辺広角度から方向指示器１６を視認することができる。
【００２２】
次に、図１及び図８に基づき方向指示器１６のコンバイン１への取付構成について説明する。
コンバイン１の後側面で且つ左端の角部、即ち、排稾処理装置９のカバーの後側面で且つ左端角部に方向指示器１６を取り付けるにあたり、排稾処理装置９カバーの後側面９ａ及び左側面９ｂから表カバー１７の正面部１７ａ、左側面部１７ｂ、右側面部１７ｃ、上傾斜面部１７ｄ及び下傾斜面部１７ｅが突出するように取り付けている。なお、方向指示器１６を格子状の保護カバーで覆うようにしてもよい。
【００２３】
しかして、機体側面から突出した方向指示器１６の正面部１７ａ、左側面部１７ｂ及び右側面部１７ｃから広い範囲に照射され、コンバイン１の前側、左側方及び後方の三方向から方向指示器１６を視認することができ安全である。
【００２４】
また、図９〜図１１に示すように、コンバイン１の排稾処理装置９のカバーの後側面で且つ左端角部上方に後側確認用のミラー３７を設け、このミラー３７の下方に方向指示器１６を取り付けるにあたり、表カバー１７の正面部１７ａ、左側面部１７ｂ、右側面部１７ｃ、上傾斜面部１７ｄ及び下傾斜面部１７ｅが排稾処理装置９カバーの後側面及び左側面から突出するようにで取り付けても、同様の効果が期待できる。
【００２５】
次に、図１２〜図１４に示すように方向指示器１６をコンバイン１に取り付けてもよい。
コンバイン１の後側面の右端角部に排出オーガー１２の揚穀筒１２ａを覆うカバー２７を設け、このカバー２７の後側面の右端角部に方向指示器１６を取り付けるにあたり、カバー２７の後側面及び右側面から表カバー１７の正面部１７ａ、左側面部１７ｂ、右側面部１７ｃ、上傾斜面部１７ｄ及び下傾斜面部１７ｅが突出するように取り付けている。
【００２６】
しかして、方向指示器１６の機体側面から突出している正面部１７ａ、左側面部１７ｂ及び右側面部１７ｃから機体周辺の広い範囲に点滅照射され、コンバイン１の左側方、後方及び右側から方向指示器１６を視認することができ安全である。
【００２７】
また、前記方向指示器１６の表カバー１７を構成するにあたり、図１５〜図１７に示すように、正面部１７ａ、左側面部１７ｂ及び右側面部１７ｃを上下方向に長く構成し、表カバー１７の裏面全面にレンズカットを施し、内部には複数個のフラッシャランプ１９，…を長手方向に所定間隔毎に配置するように構成してもよい。
【００２８】
また、図１８〜図２０に示すように方向指示器１６をコンバイン１に取り付けてもよい。
コンバイン１の後側右部にグレンタンク８を配置し、グレンタンク８の右側部を右側に突出する右側突出部８ａに構成し、この右側突出部８ａを、機体２の右側面２ａ及び排出オーガー１２の揚穀筒１２ａを覆うカバー２７の右側面よりも右側に突出するように構成し、穀粒の収容量をアップするように構成する。そして、このグレンタンク８の右側突出部８ａにおける後側面の右端角部に、方向指示器１６を取り付けるにあたり、表カバー１７の正面部１７ａ、左側面部１７ｂ、右側面部１７ｃ、上傾斜面部１７ｄ及び下傾斜面部１７ｅがグレンタンク８の後側面及び右側面から突出するように取り付ける。
【００２９】
しかして、方向指示器１６の機体側面から突出している表カバー１７の正面部１７ａ、左側面部１７ｂ及び右側面部１７ｃから広い範囲に光が照射され、コンバイン１の後方、右側方及び前側の三方向から方向指示器１６を視認することができ安全である。
【００３０】
また、図２１〜図２５に示すように方向指示器１６をコンバイン１の右前側部に取り付けてもよい。
コンバイン１の機体２の前側右部に運転席３を配置し、運転席３の前側部を前側フレーム３１及び右側フレーム３２により仕切り、右側フレーム３２の後方にステップ３３を設けている。
【００３１】
そして、この前側フレーム３１と右側フレーム３２とを接続する角部外側面で且つステップ３３の前方部位でしかもグレンタンク８の右側突出部８ａより下方部位に、方向指示器１６における表カバー１７の正面部１７ａ、左側面部１７ｂ、右側面部１７ｃ、上傾斜面部１７ｄ及び下傾斜面部１７ｅを前側フレーム３１及び右側フレーム３２から突出するように取り付ける。
【００３２】
しかして、方向指示器１６の機体側面から突出している表カバー１７の正面部１７ａ、左側面部１７ｂ及び右側面部１７ｃから広い範囲に光が照射され、コンバイン１の後方、右側方及び前側の三方向から方向指示器１６を視認することができ安全である。
【００３３】
また、図２６に示すように構成してもよい。即ち、運転席３の前側部を前側フレーム３１及び右側フレーム３２により仕切り、右側フレーム３２の上方に右側後方確認用のミラー３４を配置し、このミラー３４の前側面に方向指示器１６を突出するように取り付ける。前記構成とすることにより、方向指示器１６の取り付け構成を簡素化し、機体前側部のデザインをコンパクトに纏めることができる。
【００３４】
また、図２７〜図２９に示すように構成してもよい。即ち、コンバイン１の機体２の前側右部に運転席３を配置し、運転席３をキャビン１１で被覆し、キャビン１１の右側面を機体２の右側面に略揃え、キャビン１１の右側面前側上部に右側後方確認用のミラー３４をキャビン１１の右側面から突出するように取り付ける。そして、このミラー３４の前側面に前方に突出するように方向指示器１６を取り付けている。
【００３５】
前記構成とすることにより、機体の前側及び右側方から方向指示器１６を視認できるものでありながら、方向指示器１６の取り付け構成を簡素化し、機体前側部のデザインをコンパクトに纏めることができる。
【００３６】
なお、左側後方確認用のミラー３６の前側面、及び、後方確認用のミラー３７，３７の後側面に、同様にして方向指示器１６を設けてもよい（図２９及び図３０に示す）。
また、図３０〜図３４のように構成してもよい。コンバイン１の機体２の前側右部に運転席３を配置し、運転席３の前側部を前側フレーム３１及び右側フレーム３２により仕切り、運転席３を前側フレーム３１、右側フレーム３２及びキャビン１１で覆い、キャビン１１の右側下方にステップ３３を設ける。
【００３７】
また、キャビン１１の右側面、右側フレーム３２の右側面及びグレンタンク８の右側面を機体の右側面に揃えるように構成する。そして、前側フレーム３１と右側フレーム３２とが接続する角部外側面で、且つ、上方に回動した前記刈取搬送部６よりも上方部位に、方向指示器１６における表カバー１７の正面部１７ａ、左側面部１７ｂ、右側面部１７ｃ、上傾斜面部１７ｄ及び下傾斜面部１７ｅを前側フレーム３１及び右側フレーム３２から突出するように取り付ける。
【００３８】
しかして、方向指示器１６の機体側面から突出している表カバー１７の正面部１７ａ、左側面部１７ｂ及び右側面部１７ｃから広い範囲に光を照射し、コンバイン１の右後方、右側方及び前側の三方向から方向指示器１６を視認することができ安全である。
【００３９】
また、図３５のように構成してもよい。コンバイン１の機体２の前方に上下回動自在に刈取搬送部６を設け、この刈取搬送部６の左端後側上部にブラケット３８を設け、このブラケット３８に方向指示器１６を取り付けるにあたり、表カバー１７の正面部１７ａ、左側面部１７ｂ、右側面部１７ｃ、上傾斜面部１７ｄ及び下傾斜面部１７ｅを機体の左側面から左側に突出するように取り付ける。
【００４０】
しかして、方向指示器１６の機体側面から突出している表カバー１７の正面部１７ａ、左側面部１７ｂ及び右側面部１７ｃから広い範囲に光を照射し、コンバイン１の後方、左側方及び前側の三方向から方向指示器１６を視認することができ安全である。
【００４１】
また、図３６〜図３８に示すように構成してもよい。コンバイン１の機体２の前方に上下回動自在に刈取搬送部６を設け、この刈取搬送部６の後方には穀稈搬送装置（図示省略）を設けて、刈取搬送部６で刈り取った穀稈を穀稈搬送装置（図示省略）により後方に搬送し脱穀部７のフィードチエンに引き継ぐように構成し、穀稈搬送装置（図示省略）の上方を透明あるいは半透明の防塵カバー４１で覆い、防塵カバー４１の左端部前側に作業灯４２を取り付け、搬送穀稈からの塵埃類の飛散を防止するように構成している。
【００４２】
そして、防塵カバー４１の前側部左端で、且つ、側面視でキャビン１１よりも前側部位に、方向指示器１６を取り付けている。しかして、防塵カバー４１の近傍に作業灯４２及び方向指示器１６を設けてスッキリした構成としながら、方向指示器１６の機体側面から突出している表カバー１７の正面部１７ａ、左側面部１７ｂ及び右側面部１７ｃから広い範囲に光を照射し、コンバイン１の前方及び右側方の三方向から方向指示器１６を視認することができ安全である。
【図面の簡単な説明】
【００４３】
【図１】コンバイン全体の左側面図
【図２】コンバイン全体の右側面図
【図３】コンバイン全体の平面図
【図４】コンバインの正面図
【図５】コンバインの背面図
【図６】（Ａ）方向指示器の斜視図            （Ｂ）方向指示器の斜視図
【図７】（Ａ）方向指示器の切断平面図            （Ｂ）方向指示器の切断側面図
【図８】コンバイン後部の斜視図
【図９】コンバイン全体の左側面図
【図１０】コンバイン全体の平面図
【図１１】コンバインの背面図
【図１２】コンバイン後部の斜視図
【図１３】コンバイン全体の平面図
【図１４】コンバインの背面図
【図１５】コンバイン全体の右側面図
【図１６】コンバインの背面図
【図１７】コンバイン全体の平面図
【図１８】コンバイン後部の斜視図
【図１９】コンバイン全体の平面図
【図２０】コンバインの背面図
【図２１】（Ａ）コンバイン前部の斜視図              （Ｂ）同切断平面図
【図２２】コンバイン全体の右側面図
【図２３】コンバイン全体の平面図
【図２４】コンバインの正面図
【図２５】コンバインの背面図
【図２６】コンバイン前部の斜視図
【図２７】コンバイン全体の右側面図
【図２８】コンバイン全体の平面図
【図２９】コンバインの正面図
【図３０】コンバイン前部の斜視図
【図３１】コンバイン全体の右側面図
【図３２】コンバイン全体の平面図
【図３３】コンバインの正面図
【図３４】コンバインの背面図
【図３５】コンバイン前部の斜視図
【図３６】コンバイン前部の斜視図
【図３７】コンバイン全体の左側面図
【図３８】コンバインの正面図
【符号の説明】
【００４４】
１      コンバイン
８      グレンタンク
１６      方向指示器
１７      合成樹脂製の表カバー
１７ａ    正面部
１７ｂ    左側面部
１７ｃ    右側面部
１８      裏カバー
１９      フラッシャランプ
２０      ソケット
２１      コード
２３      反射鏡
２４      ゴムカバー
【図１】
2006172874.tif 000003
【図２】
2006172874.tif 000004
【図３】
2006172874.tif 000005
【図４】
2006172874.tif 000006
【図５】
2006172874.tif 000007
【図６】
2006172874.tif 000008
【図７】
2006172874.tif 000009
【図８】
2006172874.tif 000010
【図９】
2006172874.tif 000011
【図１０】
2006172874.tif 000012
【図１１】
2006172874.tif 000013
【図１２】
2006172874.tif 000014
【図１３】
2006172874.tif 000015
【図１４】
2006172874.tif 000016
【図１５】
2006172874.tif 000017
【図１６】
2006172874.tif 000018
【図１７】
2006172874.tif 000019
【図１８】
2006172874.tif 000020
【図１９】
2006172874.tif 000021
【図２０】
2006172874.tif 000022
【図２１】
2006172874.tif 000023
【図２２】
2006172874.tif 000024
【図２３】
2006172874.tif 000025
【図２４】
2006172874.tif 000026
【図２５】
2006172874.tif 000027
【図２６】
2006172874.tif 000028
【図２７】
2006172874.tif 000029
【図２８】
2006172874.tif 000030
【図２９】
2006172874.tif 000031
【図３０】
2006172874.tif 000032
【図３１】
2006172874.tif 000033
【図３２】
2006172874.tif 000034
【図３３】
2006172874.tif 000035
【図３４】
2006172874.tif 000036
【図３５】
2006172874.tif 000037
【図３６】
2006172874.tif 000038
【図３７】
2006172874.tif 000039
【図３８】
2006172874.tif 000040